(57)【要約】【課題】ラップフィルムを容易に設置面に敷設する。【解決手段】ラップフィルム用保持体２は、巻芯５にラップフィルム４が巻き回されたラップフィルム巻回体３を保持する。ラップフィルム用保持体２は、巻芯５が差し込まれ、第１軸線Ｘ周りに回動可能に巻芯５を保持する軸部１０と、使用者によって把持されるグリップ部３０と、軸部１０とグリップ部３０とを連結する連結部２０と、を備える。連結部２０は、第１軸線Ｘ上とは異なる位置にグリップ部３０が配置されるように、軸部１０とグリップ部３０とを連結する。【選択図】図１
2019196221.tif 000002
【特許請求の範囲】
【請求項１】
巻芯にラップフィルムが巻き回されたラップフィルム巻回体を保持するラップフィルム用保持体であって、
前記巻芯が差し込まれ、第１軸線周りに回動可能に前記巻芯を保持する軸部と、
使用者によって把持されるグリップ部と、
前記軸部と前記グリップ部とを連結する連結部と、
を備え、
前記連結部は、前記第１軸線上とは異なる位置に前記グリップ部が配置されるように、前記軸部と前記グリップ部とを連結する、ラップフィルム用保持体。
【請求項２】
前記グリップ部は、棒状の部材であり、
前記連結部は、前記第１軸線に交差する第２軸線上において前記グリップ部が延在するように、前記軸部と前記グリップ部とを連結する、請求項１に記載のラップフィルム用保持体。
【請求項３】
前記連結部は、前記軸部の両端部と、前記グリップ部とを連結する、請求項１又は２に記載のラップフィルム用保持体。
【請求項４】
前記軸部は、
前記巻芯の一方の端部に差し込まれるとともに、前記巻芯の一方の端部を回動可能に保持する第１軸部と、
前記巻芯の他方の端部に差し込まれるとともに、前記巻芯の他方の端部を回動可能に保持する第２軸部と、
を備え、
前記連結部は、前記第１軸部及び前記第２軸部と、前記グリップ部とを連結する、請求項１又は２に記載のラップフィルム用保持体。
【請求項５】
前記グリップ部は、複数設けられている、請求項１〜４のいずれか一項に記載のラップフィルム用保持体。
【請求項６】
前記連結部に設けられ、前記ラップフィルムを切断する刃を有する切断部をさらに備える、請求項１〜５のいずれか一項に記載のラップフィルム用保持体。
【請求項７】
前記連結部は、前記切断部を移動可能に保持する保持部を備え、
前記保持部は、前記第１軸線方向に沿って見たときに、前記軸部によって保持された前記ラップフィルム巻回体の外周面に沿って円弧状に移動可能に前記切断部を保持する、請求項６に記載のラップフィルム用保持体。
【請求項８】
前記切断部は、
前記刃が設けられた側に対して反対側の端部が前記連結部に揺動可能に連結され、
前記第１軸線方向に沿って見たときに、前記軸部に保持された前記ラップフィルム巻回体の外周面に前記刃が接近及び離反するように揺動する、請求項６に記載のラップフィルム用保持体。
【請求項９】
巻芯にラップフィルムが巻き回されたラップフィルム巻回体と、
請求項１〜８のいずれか一項に記載のラップフィルム用保持体と、
を備えるラップフィルム構造体。
【発明の詳細な説明】
【技術分野】
【０００１】
本発明は、ラップフィルム用保持体、及びラップフィルム構造体に関する。
【背景技術】
【０００２】
例えば、ラップフィルムが巻き回されたラップフィルム巻回体と、ラップフィルム巻回体を収容するラップフィルム用箱とを備えるラップフィルム構造体がある。このようなラップフィルム構造体が、例えば特許文献１に記載されている。特許文献１に記載されたラップフィルム構造体は、使用者によってラップフィルム用箱からラップフィルムが引き出されて使用される。
【先行技術文献】
【特許文献】
【０００３】
【特許文献１】特開２００５−１１２３７６号公報
【発明の概要】
【発明が解決しようとする課題】
【０００４】
ここで、上述したラップフィルム構造体は、使用者が一方の手でラップフィルムを掴むとともに他方の手でラップフィルム用箱を掴み、使用者が両手を広げることによってラップフィルムが引き出される構成である。このため、上述したラップフィルム構造体は、使用者の両手を広げた長さ以上にラップフィルムを引き出すことが困難であり、広い範囲にラップフィルムを広げることには不向きである。また、ラップフィルム用箱からラップフィルムを引き出すときに、ラップフィルムに傷がついて破れてしまうことがある。そこで、本技術分野では、ラップフィルムを容易に設置面に敷設可能なラップフィルム用保持体、及びラップフィルム構造体が求められている。
【課題を解決するための手段】
【０００５】
本発明の一側面は、巻芯にラップフィルムが巻き回されたラップフィルム巻回体を保持するラップフィルム用保持体であって、巻芯が差し込まれ、第１軸線周りに回動可能に巻芯を保持する軸部と、使用者によって把持されるグリップ部と、軸部とグリップ部とを連結する連結部と、を備え、連結部は、第１軸線上とは異なる位置にグリップ部が配置されるように、軸部とグリップ部とを連結する。
【０００６】
このラップフィルム用保持体を用いてラップフィルムを設置面に敷設する場合、使用者は、グリップ部を把持し、軸部によって回動可能に保持されたラップフィルム巻回体の外周面を設置面に当接させる。そして、使用者は、設置面上でラップフィルム巻回体を転がすことによって、巻き回された状態のラップフィルムを広げつつ設置面にラップフィルムを敷設できる。このように、ラップフィルム用保持体は、設置面上でラップフィルム巻回体を転がすことによって広い範囲にラップフィルムを広げることができる。また、ラップフィルム用保持体は、箱等からラップフィルムを引き出す構成ではないため、ラップフィルムに傷がつくことを抑制しつつラップフィルムを広げることができる。このように、ラップフィルム用保持体は、ラップフィルムを容易に設置面に敷設できる。
【０００７】
ラップフィルム用保持体において、グリップ部は、棒状の部材であり、連結部は、第１軸線に交差する第２軸線上においてグリップ部が延在するように、軸部とグリップ部とを連結してもよい。この場合、棒状のグリップ部の延長線上に、軸部に保持されたラップフィルム巻回体が位置する。これにより、使用者は、棒状のグリップ部の延在方向に沿って力を加えることによって、ラップフィルム用保持体に保持されたラップフィルム巻回体の外周面を設置面に容易に当接させつつラップフィルム巻回体を転がすことができる。
【０００８】
ラップフィルム用保持体において、連結部は、軸部の両端部と、グリップ部とを連結してもよい。この場合、ラップフィルム用保持体は、ラップフィルム巻回体を強固に保持できる。
【０００９】
ラップフィルム用保持体において、軸部は、巻芯の一方の端部に差し込まれるとともに、巻芯の一方の端部を回動可能に保持する第１軸部と、巻芯の他方の端部に差し込まれるとともに、巻芯の他方の端部を回動可能に保持する第２軸部と、を備え、連結部は、第１軸部及び第２軸部と、グリップ部とを連結してもよい。この場合、ラップフィルム用保持体は、巻芯の全域にわたって延在する軸部を有していないため、軽量化を図ることができる。
【００１０】
ラップフィルム用保持体において、グリップ部は、複数設けられていてもよい。例えば、ラップフィルム巻回体の幅が広く、ラップフィルム用保持体が大きい場合がある。このような場合であっても、使用者は、複数のグリップ部を把持してラップフィルムの設置面に対して均一にラップフィルム巻回体の外周面を押し付けてラップフィルムを敷設できる。これにより、ラップフィルム用保持体は、敷設されたラップフィルムに歪みが生じること等を抑制できる。
【００１１】
ラップフィルム用保持体は、連結部に設けられ、ラップフィルムを切断する刃を有する切断部をさらに備えていてもよい。この場合、ラップフィルム用保持体は、ラップフィルムを敷設した後、切断部によってラップフィルムを切断できる。
【００１２】
ラップフィルム用保持体において、連結部は、切断部を移動可能に保持する保持部を備え、保持部は、第１軸線方向に沿って見たときに、軸部によって保持されたラップフィルム巻回体の外周面に沿って円弧状に移動可能に切断部を保持してもよい。例えば、使用者は、ラップフィルム巻回体を設置面上で転がしてラップフィルムを敷設するときには、切断部を設置面から離れた位置に移動させることができる。これにより、ラップフィルム用保持体は、ラップフィルムの敷設時に、敷設されたラップフィルムに切断部の刃が当接してラップフィルムに傷がつくことを抑制できる。また、使用者は、ラップフィルムを切断するときには、ラップフィルムを切断しやすい位置に切断部を移動させることができる。これにより、ラップフィルム用保持体は、使用者にとって使い易い構成となる。
【００１３】
ラップフィルム用保持体において、切断部は、刃が設けられた側に対して反対側の端部が連結部に揺動可能に連結され、第１軸線方向に沿って見たときに、軸部に保持されたラップフィルム巻回体の外周面に刃が接近及び離反するように揺動してもよい。この場合、使用者は、例えば、ラップフィルムを切断するときにはラップフィルム巻回体の外周面に刃を接近させる等、使用状況に応じて切断部の刃の位置を移動させることができる。これにより、ラップフィルム用保持体は、使用者にとって使い易い構成となる。
【００１４】
本発明の他の一側面に係るラップフィルム構造体は、巻芯にラップフィルムが巻き回されたラップフィルム巻回体と、上記のラップフィルム用保持体と、を備える。
【００１５】
このラップフィルム構造体は、ラップフィルムを容易に設置面に敷設できる。
【発明の効果】
【００１６】
本発明の種々の側面によれば、ラップフィルムを容易に設置面に敷設できる。
【図面の簡単な説明】
【００１７】
【図１】第１実施形態に係るラップフィルム構造体を示す斜視図である。
【図２】図１のラップフィルム用保持体を示す正面図である。
【図３】図１のラップフィルム構造体の使用状態を示す側面図である。
【図４】第１実施形態の変形例に係るラップフィルム構造体を示す斜視図である。
【図５】軸部の構成を変形した変形例に係るラップフィルム用保持体を示す正面図である。
【図６】グリップ部の構成を変形した変形例に係るラップフィルム構造体を示す斜視図である。
【図７】第２実施形態に係るラップフィルム構造体を示す斜視図である。
【図８】図７のVIII-VIII線に沿った断面図である。
【図９】図７のラップフィルム構造体の使用状態を示す側面図である。
【図１０】図７のラップフィルム構造体の使用状態を示す側面図である。
【図１１】第２実施形態の刃の構成を変形した変形例に係るラップフィルム構造体を示す斜視図である。
【図１２】第２実施形態の刃の構成を変形した変形例に係るラップフィルム構造体を示す斜視図である。
【図１３】第３実施形態に係るラップフィルム構造体を示す斜視図である。
【図１４】第３実施形態に係るラップフィルム構造体を示す斜視図である。
【発明を実施するための形態】
【００１８】
以下、本発明の実施形態について図面を参照しながら説明する。なお、図面の説明において同一の要素には同一の符号を付し、重複する説明を省略する。
【００１９】
（第１実施形態）
まず、第１実施形態について説明する。図１及び図２に示されるように、第１実施形態に係るラップフィルム構造体１は、ラップフィルム用保持体２、及びラップフィルム巻回体３を備えている。ラップフィルム巻回体３は、ラップフィルム４、及び巻芯５を備えている。
【００２０】
巻芯５は、略円筒状の部材である。巻芯５の材質は、例えばボール紙等の紙であってもよい。巻芯５のサイズ（長さ、内径、外径等）は特に限定されない。ラップフィルム４は、巻芯５の外周面に巻き回されている。ラップフィルム４は、例えば、樹脂フィルム、アルミニウム箔等の金属フィルムなどであってもよい。このラップフィルム４は、例えば、食品の包装等に用いられる。ラップフィルム４のサイズ（厚さ、横幅等）及び巻き数は特に限定されない。
【００２１】
ラップフィルム用保持体２は、ラップフィルム巻回体３を保持する。ラップフィルム用保持体２は、軸部１０、連結部２０、及びグリップ部３０を備えている。軸部１０は、第１軸線Ｘに沿って延在する棒状の部材である。軸部１０には、巻芯５が差し込まれる。軸部１０は、第１軸線Ｘ周りに回動可能に巻芯５（ラップフィルム巻回体３）を保持する。軸部１０が巻芯５を回動可能に保持する構造としては、周知の構造を採用することができる。例えば、軸部１０の外径よりも、巻芯５の内径が大きい構成であってもよい。また、軸部１０には、軸部１０から巻芯５が抜け落ちないように、抜け止めが設けられていてもよい。なお、軸部１０は、巻芯５を着脱可能に保持する。軸部１０の長さは、巻芯５の長さよりも長くてもよい。軸部１０の材質は、例えば、樹脂、金属等であってもよい。
【００２２】
グリップ部３０は、ラップフィルム構造体１の使用者によって把持される棒状の部材である。グリップ部３０は、例えば、断面が円形、多角形等の棒状の部材であってもよい。グリップ部３０の外面には、使用者が把持しやすいように凹凸形状が設けられていてもよい。グリップ部３０の材質は、例えば、樹脂、金属等であってもよい。
【００２３】
連結部２０は、軸部１０とグリップ部３０とを連結する。連結部２０は、第１軸線Ｘ上とは異なる位置にグリップ部３０が配置されるように、軸部１０とグリップ部３０とを連結する。ここで、第１軸線Ｘに直交する軸線を、第２軸線Ｌとする。第２軸線Ｌは、軸部１０に保持されたラップフィルム巻回体３の長手方向の略中央位置を通っている。本実施形態において、連結部２０は、第２軸線Ｌ上においてグリップ部３０が延在するように、軸部１０とグリップ部３０とを連結する。
【００２４】
具体的には、連結部２０は、第１連結部２１、第２連結部２２、第３連結部２３とを備えている。第１連結部２１の一方の端部は、軸部１０の一方の端部に連結されている。第１連結部２１は、軸部１０から、ラップフィルム巻回体３の径方向外側に向けて延在している。第３連結部２３の一方の端部は、グリップ部３０に連結されている。第２連結部２２は、第１連結部２１の他方の端部と第３連結部２３の他方の端部とを連結している。連結部２０の材質は、例えば、樹脂、金属等であってもよい。軸部１０と連結部２０とは、一体として形成されていてもよい。
【００２５】
次に、使用者がラップフィルム構造体１を用いてラップフィルム４を敷設する手順について説明する。図３に示されるように、使用者は、手Ｈでグリップ部３０を把持し、ラップフィルム巻回体３の外周面をテーブルの上面等の設置面Ｔに当接させる。そして使用者は、設置面Ｔ上でラップフィルム巻回体３を転がすことによって、巻き回された状態のラップフィルム４を広げつつ設置面Ｔにラップフィルム４を敷設する。ラップフィルム４の敷設後、使用者は、ラップフィルム構造体１とは別に設けられたカッター等によってラップフィルム４を切断してもよい。
【００２６】
以上のように、ラップフィルム構造体１は、設置面Ｔ上でラップフィルム巻回体３を転がすことによって広い範囲にラップフィルム４を広げることができる。また、ラップフィルム構造体１は、箱等からラップフィルム４を引き出す構成ではないため、ラップフィルム４に傷がつくことを抑制しつつラップフィルム４を広げることができる。このように、ラップフィルム構造体１は、ラップフィルム４を容易に設置面Ｔに敷設できる。
【００２７】
連結部２０は、第２軸線Ｌ上においてグリップ部３０が延在するように、軸部１０とグリップ部３０とを連結する。この場合、棒状のグリップ部３０の延長線上に、ラップフィルム巻回体３が位置する。これにより、使用者は、棒状のグリップ部３０の延在方向に沿って力を加えることによって、ラップフィルム巻回体３の外周面を設置面Ｔに容易に当接させつつラップフィルム巻回体３を転がすことができる。
【００２８】
なお、ラップフィルム構造体１において、第２軸線Ｌは、第１軸線Ｘに対して直交していることに限定されず、交差していてもよい。すなわち、グリップ部３０の一方の端部が、軸部１０に保持されたラップフィルム巻回体３の外周面を向いていればよい。また、連結部２０は、軸部１０の延在方向と、グリップ部３０の延在方向とが互いに略平行となるように軸部１０とグリップ部３０とを連結してもよい。また、グリップ部３０は、棒状の部材としたが、使用者が把持できれば棒状以外の形状の部材であってもよい。
【００２９】
（第１実施形態の変形例）
次に、第１実施形態の変形例について説明する。以下の説明において、第１実施形態等において先に説明した構成要素と同様の構成要素については、同一の符合を付して詳細な説明を省略する。図４に示されるように、本変形例に係るラップフィルム構造体１Ａは、ラップフィルム用保持体２Ａ、及びラップフィルム巻回体３を備えている。
【００３０】
ラップフィルム用保持体２Ａは、軸部１０、連結部２０Ａ、及びグリップ部３０を備えている。連結部２０Ａは、軸部１０の両端部と、グリップ部３０とを連結する。具体的には、連結部２０Ａは、第１連結部２１、第２連結部２２、第３連結部２３、第４連結部２４、及び第５連結部２５とを備えている。第４連結部２４の一方の端部は、軸部１０の他方の端部に連結されている。第４連結部２４は、軸部１０から、ラップフィルム巻回体３の径方向外側に向けて延在している。第５連結部２５は、第４連結部２４の他方の端部と第３連結部２３の他方の端部とを連結している。連結部２０Ａの材質は、例えば、樹脂、金属等であってもよい。軸部１０と連結部２０Ａとは、一体として形成されていてもよい。
【００３１】
このように、連結部２０Ａによって軸部１０の両端部とグリップ部３０とが連結されることにより、ラップフィルム用保持体２Ａは、ラップフィルム巻回体３を強固に保持できる。
【００３２】
なお、上記変形例におけるラップフィルム用保持体２Ａの軸部１０は、１本の棒状の部材（図２参照）であることに限定されない。例えば、図５に示されるラップフィルム用保持体２Ｂのように、第１軸部１１及び第２軸部１２によって軸部１０Ａが構成されていてもよい。具体的には、ラップフィルム用保持体２Ｂは、軸部１０Ａ、連結部２０Ａ、及びグリップ部３０を備えている。
【００３３】
軸部１０Ａは、第１軸部１１、及び第２軸部１２を備えている。第１軸部１１は、巻芯５の一方の端部に差し込まれるとともに、巻芯５の一方の端部を回動可能に保持する。第２軸部１２は、巻芯５の他方の端部に差し込まれるとともに、巻芯５の他方の端部を回動可能に保持する。このように、巻芯５の両端部が、第１軸部１１及び第２軸部１２によって回動可能に保持される。第１軸部１１及び第２軸部１２の材質は、例えば、樹脂、金属等であってもよい。
【００３４】
連結部２０Ａは、第１軸部１１及び第２軸部１２と、グリップ部３０とを連結する。具体的には、第１軸部１１が、連結部２０Ａの第１連結部２１に連結されている。第２軸部１２が、連結部２０Ａの第４連結部２４に連結されている。なお、ラップフィルム巻回体３（巻芯５）をラップフィルム用保持体２Ｂに着脱できるように、第１軸部１１が第１連結部２１に対して揺動可能又は着脱可能に連結されていてもよい。同様に、第２軸部１２が第４連結部２４に対して揺動可能又は着脱可能に連結されていてもよい。
【００３５】
このように、ラップフィルム用保持体２Ｂは、巻芯５の全域にわたって延在する軸部を有していないため、軽量化を図ることができる。
【００３６】
また、他の変形例として、図６に示されるラップフィルム構造体１Ｃのラップフィルム用保持体２Ｃのように、グリップ部３０が２つ設けられていてもよい。連結部２０Ａは、軸部１０と、２つのグリップ部３０とを連結している。例えば、ラップフィルム巻回体３の幅が広く、ラップフィルム用保持体２Ｃが大きい場合がある。このような場合であっても、使用者は、２つのグリップ部３０を把持してラップフィルム４の設置面Ｔに対して均一にラップフィルム巻回体３の外周面を押し付けてラップフィルム４を敷設できる。これにより、ラップフィルム用保持体２Ｃは、敷設されたラップフィルム４に歪みが生じること等を抑制できる。なお、グリップ部３０は、３つ以上設けられていてもよい。
【００３７】
（第２実施形態）
次に、第２実施形態について説明する。図７及び図８に示されるように、第２実施形態に係るラップフィルム構造体１Ｄは、ラップフィルム用保持体２Ｄ、及びラップフィルム巻回体３を備えている。ラップフィルム用保持体２Ｄは、軸部１０、連結部２０Ｄ、グリップ部３０、及び切断部４０を備えている。
【００３８】
連結部２０Ｄは、図４を用いて説明した第１実施形態の変形例における連結部２０Ａと同様に、第１連結部２１、第２連結部２２、第３連結部２３、第４連結部２４、及び第５連結部２５を備えている。また、連結部２０Ｄは、さらに、支持部２６（図８参照）を備えている。支持部２６は棒状の部材である。支持部２６の両端部は、第１連結部２１及び第４連結部２４にそれぞれ連結されている。支持部２６は、軸部１０と、第２連結部２２及び第５連結部２５との間に設けられている。
【００３９】
切断部４０は、連結部２０Ｄに設けられ、ラップフィルム４を切断する刃４２を有している。具体的には、切断部４０は、切断本体部４１、及び刃４２を備えている。切断本体部４１は、板状の部材である。切断本体部４１の一方の端部は、支持部２６に固定されている。切断本体部４１は、第１軸線Ｘ方向に沿って見たときに、ラップフィルム巻回体３の外周面に沿うように、湾曲している。切断本体部４１における支持部２６に固定される側に対して反対側の端部には、ラップフィルム４を切断するための刃４２が設けられている。
【００４０】
刃４２は、例えば鋸刃状等、ラップフィルム４を切断可能な形状を有している。本実施形態において、刃４２は、切断本体部４１の端部に形成された鋸刃状の切断構造によって構成されている。但し、刃４２は、切断本体部４１とは別体として設けられていてもよい。刃４２は、第１軸線Ｘ方向に沿って延在している。刃４２は、ラップフィルム巻回体３の幅（第１軸線Ｘ方向の長さ）と同じ長さであるか、又はラップフィルム巻回体３の幅よりも所定長さ長い。
【００４１】
切断部４０は、刃４２とラップフィルム巻回体３の外周面との間に所定の隙間が設けられるように、支持部２６に固定されている。切断部４０の材質は、例えば、樹脂、金属等であってもよい。例えば、切断部４０は、図８に示されるように、第１軸線Ｘ方向に沿って見たときに、ラップフィルム巻回体３の外周面を１／４程度覆っている。切断部４０には、刃４２を覆うカバーが設けられていてもよい。
【００４２】
次に、使用者がラップフィルム構造体１Ｄを用いてラップフィルム４を敷設する手順について説明する。図９に示されるように、使用者は、手Ｈでグリップ部３０を把持し、ラップフィルム巻回体３の外周面をテーブルの上面等の設置面Ｔに当接させる。そして使用者は、設置面Ｔ上でラップフィルム巻回体３を転がすことによって、巻き回された状態のラップフィルム４を広げつつ設置面Ｔにラップフィルム４を敷設する。このとき、使用者は、切断部４０の刃４２が、設置面Ｔ上に敷設されたラップフィルム４に当接しないように、ラップフィルム用保持体２Ｄの角度を調節する。
【００４３】
ラップフィルム４を切断する場合、使用者は、図１０に示されるように、ラップフィルム用保持体２Ｄを傾けて、設置面Ｔ上に敷設されたラップフィルム４に刃４２を当接させる。そして、使用者は、敷設されたラップフィルム４に対してラップフィルム用保持体２Ｄをひねることによって、刃４２によってラップフィルム４を切断する。
【００４４】
以上のように、ラップフィルム構造体１Ｄは、第１実施形態のラップフィルム構造体１と同様に、ラップフィルム４を容易に設置面Ｔに敷設できる。また、ラップフィルム構造体１Ｄは、切断部４０を備えているため、切断部４０によってラップフィルム４を切断できる。切断部４０が連結部２０Ｄの固定されているため、使用者は、切断部４０を操作することなく、敷設されたラップフィルム４に対してラップフィルム用保持体２Ｄをひねるだけでラップフィルム４を切断できる。
【００４５】
なお、ラップフィルム構造体１Ｄにおいて切断部４０は、支持部２６よって揺動可能に支持されていてもよい。すなわち、切断部４０は、刃４２が設けられた側に対して反対側の端部が、連結部２０Ｄに揺動可能に連結されていてもよい。この場合、切断部４０は、第１軸線Ｘ方向に沿って見たときに、ラップフィルム巻回体３の外周面に刃４２が接近及び離反するように揺動する。切断部４０が揺動する場合、使用者は、切断部４０を揺動させることによって設置面Ｔに敷設されたラップフィルム４に刃４２を当接させ、切断部４０を押さえつつラップフィルム用保持体２Ｄをひねることによってラップフィルム４を切断することができる。このように、使用者は、例えば、ラップフィルム４を切断するときにはラップフィルム巻回体３の外周面に刃４２を接近させる等、使用状況に応じて切断部４０の刃４２の位置を移動させることができる。これにより、ラップフィルム構造体１Ｄは、使用者にとって使い易い構成となる。
【００４６】
また、切断部４０の刃４２は、第１軸線Ｘ方向に沿って延在することに限定されない。例えば、図１１に示されるラップフィルム構造体１Ｅの切断部４０Ｅのように、刃４２Ｅは、中央部分が突出するように湾曲していてもよい。また、図１２に示されるラップフィルム構造体１Ｆの切断部４０Ｆのように、刃４２Ｆは、第１軸線Ｘ方向に対して傾斜するように延在していてもよい。
【００４７】
（第３実施形態）
次に、第３実施形態について説明する。図１３及び図１４に示されるように、第３実施形態に係るラップフィルム構造体１Ｇは、ラップフィルム用保持体２Ｇ、及びラップフィルム巻回体３を備えている。ラップフィルム用保持体２Ｇは、軸部１０、連結部２０Ｇ、グリップ部３０、及び切断部４０Ｇを備えている。
【００４８】
連結部２０Ｇは、軸部１０の両端部と、グリップ部３０とを連結する。具体的には、連結部２０Ｇは、第２連結部２２、第３連結部２３、第５連結部２５、第１支持板（保持部）２７、及び第２支持板（保持部）２８を備えている。連結部２０Ｇの材質は、例えば、樹脂、金属等であってもよい。
【００４９】
第１支持板２７及び第２支持板２８は、それぞれ扇形の板状の部材である。第１支持板２７及び第２支持板２８は、扇形の面同士が互いに対向するように配置されている。軸部１０の両端部は、第１支持板２７及び第２支持板２８にそれぞれ連結されている。第２連結部２２は、第１支持板２７と第３連結部２３とを連結している。第５連結部２５は、第２支持板２８と第３連結部２３とを連結している。
【００５０】
第１支持板２７には、円弧状の辺に沿って延在するスリットＳ１が設けられている。第２支持板２８には、円弧状の辺に沿って延在するスリットＳ２が設けられている。スリットＳ１及びＳ２は、第１軸線Ｘ方向に沿って見たときに、ラップフィルム巻回体３の外周面よりも外側に位置している。
【００５１】
なお、ラップフィルム巻回体３をラップフィルム用保持体２Ｇに着脱できるように、第１支持板２７及び第２支持板２８に対して軸部１０が着脱可能に連結されていてもよい。
【００５２】
切断部４０Ｇは、ラップフィルム４を切断する刃４２Ｇを有している。刃４２Ｇは、例えば鋸刃状等、ラップフィルム４を切断可能な形状を有している。切断部４０Ｇの材質は、例えば、樹脂、金属等であってもよい。切断部４０Ｇの一方の端部はスリットＳ１内に嵌め込まれ、切断部４０Ｇの他方の端部はスリットＳ２内に嵌め込まれている。切断部４０Ｇの刃４２Ｇは、第２連結部２２及び第５連結部２５から離れる側を向いている。
【００５３】
切断部４０Ｇは、図１３及び図１４に示されるように、スリットＳ１及びＳ２の延在方向に沿って移動することができる。すなわち、第１支持板２７及び第２支持板２８は、第１軸線Ｘ方向に沿って見たときに、ラップフィルム巻回体３の外周面に沿って円弧状に移動可能に切断部４０Ｇを保持する。切断部４０Ｇの両端部には、スリットＳ１及びＳ２から切断部４０Ｇが抜け落ちることを防止するための抜け止め部材Ｐがそれぞれ設けられていてもよい。
【００５４】
以上のように、ラップフィルム構造体１Ｇは、第１実施形態のラップフィルム構造体１と同様に、ラップフィルム４を容易に設置面Ｔに敷設できる。また、ラップフィルム構造体１Ｇは、切断部４０Ｇを備えているため、切断部４０Ｇによってラップフィルム４を切断できる。
【００５５】
また、切断部４０Ｇは、スリットＳ１及びＳ２に沿って移動可能である。このため、使用者は、例えば、ラップフィルム巻回体３を設置面Ｔ上で転がしてラップフィルム４を敷設するときには、切断部４０Ｇを設置面Ｔから離れた位置に移動させることができる。これにより、ラップフィルム構造体１Ｇは、ラップフィルム４の敷設時に、敷設されたラップフィルム４に切断部４０Ｇの刃４２Ｇが当接してラップフィルム４に傷がつくことを抑制できる。また、使用者は、ラップフィルム４を切断するときには、ラップフィルム４を切断しやすい位置に切断部４０Ｇを移動させることができる。これにより、ラップフィルム構造体１Ｇは、使用者にとって使い易い構成となる。
【００５６】
以上、本発明の種々の実施形態及び種々の変形例について説明したが、本発明は、上記実施形態及び変形例に限定されない。また、以上に記載された各実施形態及び各変形例の少なくとも一部は、任意に組み合わせられてもよい。例えば、ラップフィルム用保持体２等の大きさは、保持するラップフィルム巻回体３の大きさに応じて適宜変更されてもよい。また、連結部２０の第３連結部２３等の長さは、使用状況に応じて適宜変更されてもよい。
【符号の説明】
【００５７】
１，１Ａ，１Ｃ，１Ｄ，１Ｅ，１Ｆ，１Ｇ…ラップフィルム構造体、２，２Ａ，２Ｂ，２Ｃ，２Ｄ，２Ｇ…ラップフィルム用保持体、３…ラップフィルム巻回体、４…ラップフィルム、５…巻芯、１０，１０Ａ…軸部、１１…第１軸部、１２…第２軸部、２０，２０Ａ，２０Ｄ，２０Ｇ…連結部、２７…第１支持板（保持部）、２８…第２支持板（保持部）、３０…グリップ部、４０，４０Ｅ，４０Ｆ，４０Ｇ…切断部、４２，４２Ｅ，４２Ｆ，４２…刃、Ｌ…第２軸線、Ｘ…第１軸線。
【図１】
2019196221.tif 000003
【図２】
2019196221.tif 000004
【図３】
2019196221.tif 000005
【図４】
2019196221.tif 000006
【図５】
2019196221.tif 000007
【図６】
2019196221.tif 000008
【図７】
2019196221.tif 000009
【図８】
2019196221.tif 000010
【図９】
2019196221.tif 000011
【図１０】
2019196221.tif 000012
【図１１】
2019196221.tif 000013
【図１２】
2019196221.tif 000014
【図１３】
2019196221.tif 000015
【図１４】
2019196221.tif 000016